(57)【要約】情報記録装置は記録可能型記録担体のトラックにマークを書き込む。該装置は、ＤＶＤ等の既定の記録フォーマットにより情報を記録し、ユーザデータを含む記録エリアを構成する。前記記録層の始めにあるリードインゾーンの次に前記ユーザデータがあり、前記ユーザデータの終わりにリードアウトゾーンがある。該装置は、さらに、前記プリトラックパターンを検出できない読み出し装置で再生するために前記記録担体を再生可能化するリードアウト手段を有する。前記再生可能化するステップは、前記記録エリアに書き込まれたデータが既定の物理位置に達するかどうかを判断するステップに始まる。前記データが少なくとも前記既定の物理位置に達する場合、リードアウト情報を記録せず、達しない場合、リードアウト情報を既定の位置まで記録する。【特許請求の範囲】
【請求項１】
輻射ビームを用いて記録層のトラックにマークを書き込むことにより、書込可能型記録担体に情報を記録する装置であって、
前記記録層は、前記トラックの位置を示すプリトラックパターンを有し、
前記装置は、
前記ビームを出すヘッドと、
既定の記録フォーマットにより前記トラックに情報を記録して、ユーザデータを含む記録エリアを構成する記録手段と、を有し、
前記記録層の始めにあるリードインゾーンの次に前記ユーザデータがあり、前記ユーザデータの終わりにリードアウトゾーンがあり、
前記装置は、さらに、前記プリトラックパターンを検出できない読み出し装置で再生するために前記記録担体を再生可能化（finalize）するリードアウト手段を有し、
前記再生可能化するステップは、前記記録エリアに書き込まれたデータが既定の物理位置に達するかどうかを判断するステップと、達しない場合、リードアウト情報を記録し、前記データが少なくとも前記既定の物理位置に達する場合、リードアウト情報を記録しないステップとを有することを特徴とする装置。
【請求項２】
請求項１に記載の装置であって、
前記リードアウト手段は、前記既定の記録フォーマットで規定された所定の半径位置を前記既定の物理位置として用いて前記判断を行い、特に、前記記録フォーマットがＤＶＤであり、前記所定の物理位置は35.0mmであることを特徴とする装置。
【請求項３】
請求項１に記載の装置であって、
前記リードアウト手段は、前記既定の記録フォーマットで規定された所定の半径位置よりも実質的に少ない最小半径位置を前記既定の物理位置として用いて前記判断を行い、特に、前記記録フォーマットがＤＶＤであり、前記最小位置は29.0mmであることを特徴とする装置。
【請求項４】
請求項１ないし３いずれか一項に記載の装置であって、
前記リードアウト手段は、前記リードアウト情報の記録を前記ユーザデータの終わりから始め、前記既定の物理位置で終らせることを特徴とする装置。
【請求項５】
請求項１に記載の装置であって、前記リードアウト手段は、前記リードアウト情報の記録としてダミー情報を記録するように構成され、前記ダミー情報はユーザデータとしてフォーマットされることを特徴とする装置。
【請求項６】
請求項１に記載の装置であって、前記リードアウト手段は、前記既定の物理位置までダミーデータを記録するように構成され、前記ダミー情報はユーザデータとしてフォーマットされ、前記記録はユーザデータの記録中にバックグラウンドモードで実行されることを特徴とする装置。
【請求項７】
請求項１に記載の装置であって、前記リードアウト手段は、前記記録エリアに書き込まれたデータが既定の物理位置まで達する場合、前記記録担体から最終書込アドレスパラメータを読み出すことにより前記判断をするように構成され、
前記最終書込アドレスパラメータは、前記記録エリアの始めから始まる前記記録エリアの連続記録部分の最終セクター番号を示すことを特徴とする装置。
【請求項８】
輻射ビームを用いて記録層のトラックにマークを書き込むことにより、書込可能型記録担体に情報を記録する方法であって、
前記記録層は、前記トラックの位置を示すプリトラックパターンを有し、
前記方法は、既定の記録フォーマットにより前記トラックに情報を記録して、ユーザデータを含む記録エリアを構成するステップを有し、
前記記録層の始めにあるリードインゾーンの次に前記ユーザデータがあり、前記ユーザデータの終わりにリードアウトゾーンがあり、
前記方法は、さらに、前記プリトラックパターンを検出できない読み出し装置で再生するために前記記録担体を再生可能化するステップを有し、
前記再生可能化するステップは、前記記録エリアに書き込まれたデータが既定の物理位置に達するかどうかを判断するステップと、達しない場合、リードアウト情報を記録し、前記データが少なくとも前記既定の物理位置まで達する場合、リードアウト情報を記録しないステップと、を有することを特徴とする方法。
【請求項９】
プロセッサに情報を記録させるコンピュータプログラムであって、前記プロセッサに請求項８に記載の方法を実行させることを特徴とするコンピュータプログラム。
【発明の詳細な説明】
【発明の詳細な説明】
【０００１】
本発明は、トラックにマークを書き込むことにより、書込可能型記録担体に情報を記録する装置に関する。
【０００２】
本発明は、さらに、前記記録担体を記録する方法およびコンピュータプログラムプロダクトに関する。
【０００３】
光記録担体に記録する装置と方法が国際出願第WO00/43996号で知られている。記録担体は、情報が記録されるトラックの位置を示す、通常プリグルーブと呼ばれるガイドグルーブにより構成されたプリトラックパターンを有する。情報は、所定の記録フォーマット（例えば、DVDすなわちデジタルバーサタイルディスク）によりフォーマットされ、光学的に読み出し可能なマークを記録することにより表される。プリグルーブは、横方向のトラックの周期的な変位（ウォブルと呼ぶ）により蛇行している。ウォブルは、アドレス等の追加情報により周期的に変化している。記録装置は、トラックをスキャンしてマークを書き込む放射ビームを生成するヘッドを備えている。書込可能型記録担体を、プリグルーブを検出できない再生装置で読み出す時、既定の記録フォーマットにより、再生装置は完全に記録済みのディスクであると期待し、特にリードアウトゾーンが記録データの最後にあると期待する。リードアウトを記録する既知の記録システムの問題は、付加的な時間を要し、特にユーザが記録セッションを終了したいと思っている時に、いらいらするほど時間がかかることである。
【０００４】
それゆえ、本発明の目的の１つは、記録担体を再生装置で使えるように準備する必要がある時、遅れを防止するための情報記録装置および方法を提供することである。
【０００５】
本発明の第１の態様によると、上記目的は、輻射ビームを用いて記録層のトラックにマークを書き込むことにより、書込可能型記録担体に情報を記録する装置により達成される。該装置は、前記記録層は、前記トラックの位置を示すプリトラックパターンを有し、前記装置は、前記ビームを出すヘッドと、既定の記録フォーマットにより前記トラックに情報を記録して、ユーザデータを含む記録エリアを構成する記録手段と、を有し、前記記録層の始めにあるリードインゾーンの次に前記ユーザデータがあり、前記ユーザデータの終わりにリードアウトゾーンがあり、前記装置は、さらに、前記プリトラックパターンを検出できない読み出し装置で再生するために前記記録担体を再生可能化（finalize）するリードアウト手段を有し、前記再生可能化するステップは、前記記録エリアに書き込まれたデータが既定の物理位置に達するかどうかを判断するステップと、達しない場合、リードアウト情報を記録し、前記データが少なくとも前記既定の物理位置に達する場合、リードアウト情報を記録しないステップとを有することを特徴とする。
【０００６】
本発明の第２の態様によると、上記目的は、請求項８に記載の方法により達成される。本発明の第３の態様によると、上記目的は、請求項９に記載のコンピュータプログラムにより達成される。
【０００７】
上記手段の効果は、記録エリアに既定の物理位置を超えるデータ量が書き込まれた場合、リードアウトを書き込む時間が必要ないということである。これは、ユーザにとって、ディスクを再生する準備がすぐに整うという利点がある。留意すべきことは、短いリードアウトであっても書き込めば、記録エリア内のユーザデータの終わりや、場合によってはリードアウトゾーン内の制御データにもアクセスする必要があり、顕著な遅れを引き起こすことである。コンシューマタイプの記録装置では新しい位置にアクセスするのに0.5秒くらいはかかる。
【０００８】
本発明は以下の認識に基づいている。記録担体は、ＤＶＤ（デジタルバーサタイルディスク）プレーヤ等、既存の読み出し装置で読出可能であることが必要である。読出装置は予測可能な方法でディスクのローディングをする。特に、各読出装置は記録担体の既知のエリアから既定の制御データを読み出す必要がある。その理由は、その記録担体が既定の標準によりフォーマットされているからである。本願の発明者は、リードアウトエリアの読出は実際にはローディングの一部ではないことに気がついた。ディスクのローディングでは、リードインゾーンにある既記録エリア及び記録エリアの始めだけが使用される。また、再生中は、読出装置は既記録のユーザデータを超えるデータにはアクセスしようとしない。それ故、実際的に標準的環境においては、既定の最小範囲に記録されていれば、リードアウトは必要ないことに本願の発明者は気がついた。未記録エリアはまったく読出装置の障害とはならない。
【０００９】
前記リードアウト手段は、前記既定の記録フォーマットで規定された所定の半径位置よりも実質的に少ない最小半径位置を前記既定の物理位置として用いて前記判断を行い、特に、前記記録フォーマットがＤＶＤであり、前記最小位置は29.0mmである。発明者は、実際の再生装置は規定されたような書込エリアを必要とせず、最小位置までのかなり小さなエリアだけあればよいことに気がついた。少量のユーザデータのみを有する記録担体を再生可能化する必要がある場合、最小位置から規定の位置までのエリアに不必要に記録すると、１５分くらいの時間がかかる。
【００１０】
該装置の一実施形態において、前記リードアウト手段は、前記リードアウト情報の記録としてダミー情報を記録するように構成され、前記ダミー情報はユーザデータとしてフォーマットされる。留意すべきことは、記録エリアには、ユーザデータの間にリードアウトデータとしてフォーマットされたデータは含んではいけないことである。それ故、２回目の記録セッションにおいて、古いリードアウトデータは上書きして削除しなければならない。一時的リードアウト情報を記録するためにリードアウトデータではなくダミーデータを使用することは、再生可能化が必要な時でも、上書きする必要が無く、さらに時間がかからないという利点を有する。
【００１１】
本発明による装置のさらに別の好ましい実施形態は、別の請求項に記載されている。
【００１２】
本発明の上記その他の態様は、添付した図面を参照しつつ以下に説明する実施例により明らかであり、さらに詳しく説明する。
【００１３】
図面において、すでに説明した構成要素に相当する構成要素は同一の参照数字を有する。
【００１４】
図１ａは、トラック９と中央穴１０を有するディスク状の記録担体１１を示す図である。トラック９は、情報層に実質的に平行なトラックを構成するらせんパターンにより構成されている。記録担体は記録可能型情報層を有する光ディスクである。記録可能ディスクの例としては、ＣＤ−Ｒ、ＣＤ−ＲＷ、ＤＶＤ＋ＲＷ等がある。記録可能型記録担体のトラック９は、ブランクの記録担体の製造時に提供される、プリグルーブ等のプリトラック構造により示されている。記録された情報は、情報層上の、トラックに沿って記録された光学的に検出可能なマークにより表される。マークはその第１の物理的パラメータが変化しており、その周囲の領域と異なる光学的特性を有する。マークは、反射されたビームの変化、例えば反射光の変化により検出可能である。
【００１５】
図１ｂは、記録可能型記録担体１１の直線ｂ−ｂに沿って切断した断面図である。透明基板１５に記録層１６と保護層１７とが設けられている。プリトラック構造は例えばプリグルーブ１４により構成されており、スキャン中に読出書込ヘッドがトラック９を追跡できるようにする。プリグルーブ１４は、へこみやでっぱりとして実施してもよく、プリグルーブの材料の光学的特性とは異なる光学的特性を有する材料で構成してもよい。プリグルーブによりスキャン中に読出書込ヘッドがトラック９を追跡することができる。プリトラック構造は、周期的にサーボ信号を発生させる、規則的に分散したサブトラックまたはプリピットにより形成してもよい。記録担体は、例えばビデオやオーディオの情報等であるリアルタイム情報、またはその他のコンピュータデータ等の情報を搬送することを目的としたものであってもよい。
【００１６】
図１ｃは、トラックのウォブルの実施例を示す図である。トラック９の細部１２はプリグルーブ１４の横方向の位置の周期的変化を示しており、これはウォブルと呼ばれる。この変化により、例えば、スキャン装置のヘッドにある中央スポット中の部分検出器により構成されるプッシュプルチャンネルなどの補助検出器に、付加的信号が発生する。ウォブルは、例えば、変調周波数であり、位置情報が変調されて符号化されている。図１ｃに示したような、記録可能ＣＤシステムに先行技術に属するウォブルであってディスク情報が符号化されたものが、米国特許第US4,901,300号（PHN12.398）及び第US5,187,699号（PHQ88.002）に説明されている。
【００１７】
スキャンして読み出す際、トラッキングサーボ信号を生成する検出器セグメントまたは付加的検出器により検出可能な反射ビーム断面における強度変化等である第２のタイプの輻射の変化を介して、ウォブル変調を検出可能である。トラッキングサーボシステムについてウォブルを検出することは、上記のＣＤ−ＲやＣＤ−ＲＷシステムにおいて周知である。例えば、ＤＶＤ＋ＲＷシステムや米国特許第US6,538,982号のように、ウォブル変調を用いて物理アドレスと制御情報を符号化する。
【００１８】
図２は、リードアウト記録機能を有する記録装置を示す。該装置は、記録担体１１上のトラックをスキャンする手段を備えている。該手段は、記録担体１１を回転させる駆動部２１、ヘッド２２、ヘッド２２をトラック上に位置づけするサーボ部２５、及び制御部２０を含む。ヘッド２２は、輻射ビーム２４を生成し、記録担体の情報層上のトラックにある輻射スポット２３に焦点を絞った光学要素を通して導く、既知のタイプの光システムを有する。輻射ビーム２４はレーザダイオード等の輻射源により生成される。ヘッドは、ビームの光軸に沿って輻射ビーム２４の焦点を移動させるフォーカスアクチュエータと、トラックの中心に半径方向のスポット２３を微細位置合わせするトラッキングアクチュエータをさらに有する（図示せず）。トラッキングアクチュエータは、光学要素を半径方向に移動させるコイルを有し、あるいは反射要素の角度を変化させるように構成されている。フォーカス及びトラッキングアクチュエータは、サーボ部２５からのアクチュエータ信号により駆動される。読み出し時、情報層により反射された輻射がヘッド２２にある検出器信号を生成する通常タイプの検出器（例えば４分割ダイオード）により検出される。その検出器はいろいろなスキャン信号を生成するフロントエンド部３１と結合している。スキャン信号には、主スキャン信号３３と、トラッキング及びフォーカシングのためのエラー信号３５が含まれている。エラー信号３５はトラッキング及びフォーカシングアクチュエータを制御するサーボ部２５に入力される。エラー信号３５は、ウォブル変調またはプリピットにより構成されたプリトラックパターンから物理アドレスその他の制御情報を読み出すプリトラック復調部３２に入力される。主スキャン信号３３は、通常タイプの読出処理部３０により処理される。読出処理部３０は、情報を読み出すためのデモジュレータ、デフォーマッタ、及び出力部を含む。
【００１９】
該装置は、ＤＶＤ等の読出専用タイプの記録担体の既定の記録フォーマットによる、ＤＶＤ＋ＲＷ等の書込可能型または再書込可能型の記録担体に関する情報を記録する記録手段を備えている。該記録手段は、ヘッド２２とフロントエンド部３１と協働して、輻射書込ビームを生成する。入力情報を処理する書込処理手段を有し、ヘッド２２を駆動するための書込信号を生成する。該書込処理手段は、入力部２７、フォーマッタ２８、及びモジュレータ２９を有する。情報の書き込み時、輻射ビームを制御して、記録層に光学的に検出可能なマークを生成する。マークは光学的に読み取り可能であればよく、例えば、色素、合金、または相変化物質等の材料に記録した時に得られる、周囲と反射係数が異なるエリアでもよいし、光磁気物質に記録した時に得られる、周囲と分極方向が異なるエリアでもよい。
【００２０】
光ディスクへの記録のための情報の書き込み及び読出、フォーマット、エラー訂正、及びチャンネル符号化のルールは、例えば、ＣＤまたはＤＶＤシステムから周知である。一実施形態において、入力部２７は、アナログオーディオ及び／またはビデオ、またはデジタル非圧縮オーディオ／ビデオ等の入力信号を圧縮する手段を有する。好適な圧縮手段がＭＰＥＧ標準にビデオについて記載されている。ＭＰＥＧ−１がＩＳＯ／ＩＥＣ１１１７２で規定されており、ＭＰＥＧ−２がＩＳＯ／ＩＥＣ１３８１８で規定されている。あるいは、入力信号がこれらの標準によりすでに符号化されていてもよい。
【００２１】
制御部２０は、情報の記録と読出を制御し、ユーザやホストコンピュータからのコマンドを受信するように構成されている。制御部２０は、装置のその他のユニットに制御線２６（例えばシステムバス）を介して接続されている。制御部２０は、以下に説明するような方法と機能を実行する、例えばマイクロプロセッサ、プログラムメモリ、インターフェイスを有する制御回路を有する。制御部２０は、論理回路におけるステートマシンとして実施してもよい。本発明によると、制御部は以下に説明する条件の下でリードアウトを記録するリードアウト部３６を有する。一実施形態において、リードアウト記録機能は、ＤＶＤ＋ＲＷドライブ等の記録部を有するＰＣのコンピュータプログラムで実施される。
【００２２】
記録手段は、制御部２０と、フォーマッタ２８と、モジュレータ２９とを含み、既定の記録フォーマットにより情報をトラックに記録して、記録層の最初に位置するリードインゾーンにユーザデータが続き、ユーザデータにリードアウトゾーンが続く記録エリアを構成する。
【００２３】
図３は、既定の記録フォーマットによる情報を有する記録担体を示す。第１の記録担体３７（上のディスク）にはデータがいっぱいに記録されており、第２の記録担体４２（下のディスク）にはデータが部分的にしか記録されておらず、まだブランクエリア４１を有する。どちらのディスクにも情報が記録されていない中心エリアがある。半径方向でその次にリードインゾーン３８があり、既定の開始半径と終了半径を有する。リードインエリア３８が終わると、その次にメインデータ３９の記録エリアが始まる。メインデータの記録が終わると、その次にリードアウトゾーン４０が設けられる。以下の例は、ＤＶＤ＋ＲＷやＤＶＤ−ＲＷ等のＤＶＤ記録可能ディスクに関する。ディスクへの記録は、ＤＶＤ−ＲＯＭとの互換性が確保されなければならない。他の記録フォーマットでも同様の要請がある。
【００２４】
記録装置には、例えば制御部２０の機能として実施されるリードアウト部３６が備えられている。リードアウト部は、記録担体を再生可能化（finalize）させて、プリトラックパターンを検出できない読出装置で再生できるようにするものである。再生可能化機能が記録エリアにどのくらいのデータが書き込まれているか判断し始める。書き込まれたデータが既定の物理位置（例えば３５ｍｍ）まで来ると、リードアウト情報の記録はスキップされる。既定位置までデータが来なければ、記録エリア中のユーザデータの終わりにリードアウト情報が記録される。リードアウト情報は、図４に示したように、セクターヘッダのリードアウト型のデータを示す既定の記録フォーマット（すなわち少なくとも１ｍｍ）により決められた通りに記録される。
【００２５】
図４は、ＤＶＤ記録フォーマットによる記録可能ディスクの論理レイアウトを示す図である。一旦書き込まれた記録可能ディスクには、リードインエリア、データエリア、及びリードアウトエリアがある。リードアウトエリアはディスクの最後まで行っている必要はない。ＤＶＤでは、４つの「エリア」が定義されている。すなわち、リードインゾーン３８、メインデータ３９、ミドルエリア（２重層ディスクの場合のみ）、リードアウトゾーン４０である。メインデータエリア３９は決まったアドレス４５から始まり、ＤＶＤの場合そのアドレスは０ｘ３００００である。各エリアのデータは、各セクター４６のヘッダ４８にある２ビットのインジケータにより、そのエリアに応じたマークがされている。１６個のセクター４６を一組として、エラー訂正符号を含めたブロックを構成する。このブロックはＥＣＣブロックと呼ばれ、記録するデータの最小単位となる。読み出し専用ＤＶＤの標準によるＤＶＤディスクは、連続した３つの書き込みエリア、すなわちリードイン、メインデータエリア、及びリードアウトを含む。
【００２６】
記録可能ディスクは、最初はデータが何も入っていないブランクディスクであり、図１を参照して上で説明したように、プリトラックパターンのみを有している。データが書き込まれていないエリアは、プリトラックパターンを検出できない読み出し専用装置からはアクセスすることができず、「凍っている」と呼ばれる。それ故、すべてのディスクは最初の状態では完全に凍っている。次の状態では、エリアにデータが書き込まれる。書き込みの最初の段階は、通常、「フォーマット」コマンドにより実行される。このコマンドに応じて、ドライブはリードイン３９に書き込む。「書き込み」コマンドにより、メインデータエリアに書き込まれ、「クローズトラックセッション」コマンドにより、記録セッションが終了し、リードアウトが記録される。リードアウトはディスクの最後まで行く必要はない。よって、ディスクの終わりの方はまだ凍っている。第３のディスク状態において、すでにデータが書き込まれているディスクに次の記録セッションが実行する。メインデータが前に書き込まれたリードアウト情報を超えて延長され、新しいリードアウトが書き込まれる。
【００２７】
ＤＶＤ記録フォーマットによると、リードインには、制御データ４３が入った連続した１９２個のＥＣＣブロックからなる制御データゾーンが含まれる。制御データは物理フォーマット情報として、例えばユーザデータの終わりを示すポインター４４を含む（バイト９−１１はデータエリアの終了セクター番号を示す。ＤＶＤ標準のテーブル3.4.1.3.1-2を参照せよ。）。それ故、「クローズトラックセッション」コマンド、イジェクト、またはパワーダウンの際、リードアウトゾーンが決まる。その結果、リードインエリアの制御データを更新しなければならない。その時点で、リードインエリアには記録可能ディスクの状態が反映されている。記録可能ディスクの場合、さらに別の制御データを更新する必要があることがある。例えば、ＤＶＤ＋ＲＷの場合、ＦＤＣＢ（Format  Disc  Control  Block）を更新して、ディスクの状態を示す。特に、最後に書き込まれたアドレスはバイトD48からD51に記録される。
【００２８】
ＤＶＤ標準には、リードアウトエリアの書き込みを少なくともディスクの３５ｍｍ（半径方向）のところにするように指示されている（ＤＶＤ仕様書の読み取り専用ディスクパート１、物理仕様第１．０１版の２．６．８項を参照せよ）。３５ｍｍより小さい場合、データが３５ｍｍまで書き込まれていない場合には、ゼロを入れたリードアウトエリアを書き込む必要がある。そのようにゼロを入れるには、通常のディスク記録スピードを有する記録装置で最大１３分かかる。３５ｍｍより大きい場合、リードアウトエリアは少なくとも１ｍｍなければならない（半径方向。上記ＤＶＤ仕様書の２．６．８項と図２．６−１を参照せよ。）。この点において、留意すべきことは、ＣＬＶ（線速度一定）の場合、トラックの外側のディスク位置では内側と比較して寄り多くのＥＣＣ（エラー訂正ブロック）を書き込まねばならないことである。よって、リードアウトを書き込む時間は半径に応じて変わる。例えば、リードアウトが４５ｍｍから始まり、記録速度が１ｘＤＶＤである場合、リードアウトを書き込む時間は約１１０秒である。本発明の一実施形態において、規定された半径３５ｍｍまでデータをリードアウト情報として書き込み、３５ｍｍを超えたところにはリードアウト情報は書き込まない。それ故、リードアウト情報の記録は、ユーザデータの最後から始まり、既定の物理位置で終わる。
【００２９】
本発明の一実施形態によると、リードアウト情報は最小位置まで記録されるだけである。実際には、ＤＶＤ−ＲＯＭドライブは、記録ディスクを認識しそれを再生するには２９ｍｍのリードアウトエリアがあればよい。それ故、この点において、記録可能ディスクは、２９ｍｍより上にはいわゆる凍ったエリア（書き込みされていないエリア／結晶状態の記録層）を有していてもよく、最小位置までは解凍（書き込みされたエリア／アモルファス状態の記録層）されていなければならない。その２９ｍｍを超えると、リードアウトエリアは書き込まれず、ゼロを書き込むこともない。それ故、リードアウトの記録は以下の記録ルールによって実行される。
・最後に書き込まれたデータブロックが２９ｍｍより下の場合、リードアウトエリアを書き込み、２９ｍｍまでディスクにデータを入れる。
・最後に書き込まれたデータブロックが２９ｍｍより上の場合、リードアウトエリアは書き込まれない（リードアウトエリアはゼロ）。
【００３０】
２９ｍｍから３５ｍｍには記録しないので、１ｘＤＶＤの場合、時間を７分節約できる。リードアウトを記録しないこと自体で時間を節約できる。５７ｍｍの場合、１ｘＤＶＤでリードアウトを書き込む時間は８６秒である。
【００３１】
一時的なリードアウト情報を書き込まないことにより、以下の通り上書き時間と管理時間が減るので、さらに時間を節約することができる。ＤＶＤ＋ＲＷはランダムアクセス媒体である。前に一時的なリードアウトが書き込まれている場合、ユーザはそのリードアウトを超えるアドレスを選択することがある。ディスクをＤＶＤ−ＲＯＭ準拠にするため、ドライブは古いリードアウトブロックをすべて上書きしなければならない。そうしないと、書き込まれたユーザデータブロックの中にリードアウトブロックが含まれてしまう。このため再生装置の読み出しプロセスがじゃまされる。既定の物理位置を超える一時的リードアウトを書き込まないことにより、ドライブはその既定の物理位置までのリードアウトを上書きすればよい。
【００３２】
一実施形態において、以下のように既定の物理位置までリードアウト情報を記録する。リードアウトゾーンでは通常（ＤＶＤ標準によると）インジケータ４７がリードアウトデータを示している。本実施形態では、リードアウト型ではなくユーザデータ型を示すダミーデータを書き込む。一時的リードアウトを書き込まないことにより、ドライブはそのブロックを上書きしないですむ。それ故、ダミー情報が既定の物理位置まで記録され、ユーザデータとしてフォーマットされる。
【００３３】
一実施形態において、既定の物理位置までのダミー情報の記録は、ユーザデータ記録中にバックグラウンドモードで実行される。例えば、可変レートのビデオを記録する際、バックグラウンドで記録する時間がある。記録エリアの始め（または、ユーザデータがすでに書き込まれている場合は、そのユーザデータの終わり）から既定の物理位置までダミー情報が連続的に記録される。記録を終了する前に必要な再生可能化（finalization）時間を減らせるという利点がある。
【００３４】
一実施形態において、リードアウト手段３６は、記録担体から「最終書込アドレスパラメータ」を読み出すことにより、記録エリアに書き込まれたデータ量を判断するように公正されている。その「最終書込アドレスパラメータ」は、記録エリアの始めから始まる記録エリアの連続記録部分の最後のセクター番号を示す。例えば、ＤＶＤ＋ＲＷの場合、ＦＤＣＢ（Format  Disc  Control  Block）がバイトD48からD51に最終書き込みアドレスを含んでいる。
【００３５】
主にＤＶＤ標準による光ディスクを用いた実施形態により本発明を説明したが、本発明は、ＢＤ（ブルーレイディスク）その他の標準にも好適であり、四角形の光カードや光磁気ディスク、書込可能記録担体上にあらかじめ設けられたトラックパターンを有するその他のタイプの情報記憶システムにも好適である。留意すべきことは、この文書において、「有する」という言葉は記載されたもの以外の構成要素やステップがあることを排除するものではなく、構成要素の前の「１つの」という言葉はその構成要素が複数あることを排除するものではないことである。参照符号は請求項の範囲を限定するものではない。本発明はハードウェアとソフトウェアの両方の手段により実施してもよい。複数の「手段」や「ユニット（部）」は同一のハードウェアやソフトウェアを表していてもよい。さらに、本発明の範囲は実施形態によって限定されず、上で説明した新規な特徴や特徴の組み合わせのそれぞれが本発明である。
【図面の簡単な説明】
【００３６】
【図１ａ】ディスク状の記録担体（上面図）を示す図である。
【図１ｂ】記録担体の断面を示す図である。
【図１ｃ】トラックのウォブルの例を示す図である。
【図２】リードアウト記録機能を有する記録装置を示す図である。
【図３】既定の記録フォーマットによる情報を有する記録担体を示す図である。
【図４】DVD記録フォーマットによる記録可能ディスクの論理レイアウトを示す図である。
2006526236.tif 000002
【図２】
2006526236.tif 000003
【図３】
2006526236.tif 000004
【図４】
2006526236.tif 000005
【国際調査報告】
2006526236.tif 000006
2006526236.tif 000007
2006526236.tif 000008